(57)【要約】【課題】  携帯機を所持する使用者に広告情報を提供する広告情報提供システムのセキュリティ性を向上させる。【解決手段】  広告情報提供システムは、使用者が操作部３６を操作することで、携帯電話機３０がスリープ状態から動作状態に切り替わると、携帯電話機３０がＩＤタグ２０から識別情報を取得する。そして、携帯電話機３０は、取得した識別情報とメモリ３８内のドメイン情報とからアドレス情報（ＵＲＬ）を生成して、そのアドレス情報に対応する広告情報を広告サーバ１０から取得し、その取得した広告情報をディスプレイ４０に表示する。このため、携帯電話機３０は、メモリ３８に記憶されたドメイン情報により特定される広告サーバにしかアクセスできないように制限されているので、携帯電話機３０が不正サイトや違法サイト等にアクセスしてしまうのを防止することができる。よって、広告情報提供システムのセキュリティ性を向上させることができる。【選択図】  図１
2007102423.tif 000002
【特許請求の範囲】
【請求項１】
広告情報が複数記憶された広告情報記憶手段を有し、該広告情報記憶手段に記憶された広告情報をネットワークを介して通信先に提供する広告サーバと、
前記複数の広告情報のうちの一つを特定するための識別情報を無線にて送信する識別情報送信装置と、
該識別情報送信装置から送信された識別情報を受信する受信手段、前記広告サーバと前記ネットワークを介して通信することで、前記受信手段により受信された識別情報に対応する広告情報を取得する取得手段、及び、該取得手段により取得された広告情報を表示手段に表示させる表示制御手段を有する携帯機と、
を備えた広告情報提供システムであって、
前記携帯機は、
前記広告サーバを特定するためのサーバ情報が記憶されたサーバ情報記憶手段を備え、
前記取得手段は、前記サーバ情報記憶手段に記憶されたサーバ情報により特定される広告サーバと通信を行い、その広告サーバから前記識別情報に対応する広告情報を取得することを特徴とする広告情報提供システム。
【請求項２】
前記取得手段は、
前記受信手段により前記識別情報が受信されると、すぐに前記識別情報に対応する広告情報を取得する自動取得モードと、
前記受信手段により前記識別情報が受信されてから、前記広告情報を取得するための取得指令が外部から入力されたときに、前記識別情報に対応する広告情報を取得する手動取得モードと、
の何れかに切り換え可能であることを特徴とする請求項１に記載の広告情報提供システム。
【請求項３】
前記取得手段は、前記受信手段により複数の識別情報が受信された場合には、前記各識別情報に対応する広告情報を取得し、
前記表示制御手段は、前記取得手段により取得される複数の広告情報を、前記表示手段の表示画面上に同時に表示させることを特徴とする請求項１又は請求項２に記載の広告情報提供システム。
【請求項４】
前記広告情報には、その広告情報の内容を表す種別情報が含まれており、
前記携帯機には、外部操作により特定の広告情報の種別情報が記憶された種別情報記憶手段が設けられており、
前記表示制御手段は、前記取得手段により取得された広告情報の種別情報が、前記種別情報記憶手段に記憶された種別情報と一致するか否かを判定し、一致すると判定した場合には、その広告情報を、前記表示手段の表示画面上における第１の領域に表示させ、一致しないと判定した場合には、その広告情報を、前記表示手段の表示画面上における第２の領域に表示させることを特徴とする請求項３に記載の広告情報提供システム。
【請求項５】
請求項１ないし請求項４の何れか１項に記載の広告情報提供システムに用いられ、
前記受信手段と、前記取得手段と、前記表示制御手段と、前記表示手段と、前記サーバ情報記憶手段とを備えたことを特徴とする携帯機。
【発明の詳細な説明】
【技術分野】
【０００１】
本発明は、携帯機を所持する使用者に広告情報を提供する広告情報提供システム、及び、そのシステムに用いられる携帯機に関する。
【背景技術】
【０００２】
従来より、広告情報提供システムとしては、駅構内や街頭等に分散して配置された広告看板に、その広告主のホームページのアドレスを示すＵＲＬを無線送信する無線装置を組み込み、そのＵＲＬが携帯機により受信された後、使用者がその携帯機を用いてそのＵＲＬにアクセスすることで、そのＵＲＬに対応する広告情報（Ｗｅｂページ）を使用者に提供するようにされたものが知られている（例えば、特許文献１参照）。
【特許文献１】特開２００４−３１２６６０号公報
【発明の開示】
【発明が解決しようとする課題】
【０００３】
ところで、従来の広告情報システムでは、例えば、広告看板内の無線装置が、不正業者によって、違法サイトや不正サイト等のＵＲＬが記憶された無線装置に取り換えられてしまうと、その無線装置から送信されるＵＲＬが、携帯機側で受信されてしまう。
【０００４】
そして、この場合、使用者は、携帯機で受信されたＵＲＬが広告看板の広告主のＵＲＬであると勘違いして、その不正サイトのＵＲＬにアクセスしてしまうことがある。
そして、このように使用者が不正サイトのＵＲＬにアクセスしてしまうと、例えば、その不正サイト側から膨大な通信料の請求を受けたり、携帯機がコンピュータウイルスに感染してしまったりすることがあった。
【０００５】
本発明は、こうした問題を解決するためになされたものであり、携帯機を所持する使用者に広告情報を提供する広告情報提供システムのセキュリティ性を向上させることを目的としている。
【課題を解決するための手段】
【０００６】
上記目的を達成するためになされた請求項１に記載の発明は、広告情報が複数記憶された広告情報記憶手段を有し、広告情報記憶手段に記憶された広告情報をネットワークを介して通信先に提供する広告サーバと、複数の広告情報のうちの一つを特定するための識別情報を無線にて送信する識別情報送信装置と、識別情報送信装置から送信された識別情報を受信する受信手段、広告サーバとネットワークを介して通信することで、受信手段により受信された識別情報に対応する広告情報を取得する取得手段、及び、取得手段により取得された広告情報を表示手段に表示させる表示制御手段を有する携帯機と、を備えた広告情報提供システムであって、携帯機は、広告サーバを特定するためのサーバ情報が記憶されたサーバ情報記憶手段を備え、取得手段は、サーバ情報記憶手段に記憶されたサーバ情報により特定される広告サーバと通信を行い、その広告サーバから識別情報に対応する広告情報を取得することを特徴としている。
【０００７】
このような請求項１に記載の広告情報提供システムによれば、携帯機は、サーバ情報記憶手段に記憶されたサーバ情報により特定される広告サーバにしかアクセスできないように制限されているので、携帯機が不正サイトや違法サイト等にアクセスしてしまうのを防止することができる。
【０００８】
よって、広告情報提供システムのセキュリティ性を向上させることができる。
ここで、取得手段は、請求項２に記載のように、受信手段により識別情報が受信されると、すぐに識別情報に対応する広告情報を取得する自動取得モードと、受信手段により識別情報が受信されてから、広告情報を取得するための取得指令が外部から入力されたときに、識別情報に対応する広告情報を取得する手動取得モードと、の何れかに切り換え可能に構成されていると良い。
【０００９】
このようにすれば、携帯機における広告情報の取得モードを、使用者の好みに合わせて、自動取得モードと手動取得モードとの何れかに設定することができるので、携帯機の使い勝手が良くなる。
【００１０】
次に、請求項３に記載の広告情報提供システムは、請求項１又は請求項２に記載の広告情報提供システムにおいて、取得手段は、受信手段により複数の識別情報が受信された場合には、各識別情報に対応する広告情報を取得し、表示制御手段は、取得手段により取得される複数の広告情報を、表示手段の表示画面上に同時に表示させることを特徴としている。
【００１１】
このような請求項３に記載の広告情報提供システムによれば、携帯機は、取得した複数の広告情報を、表示手段の表示画面上に同時に表示するので、携帯機の使用者は、多くの広告情報を一度に見ることができる。
【００１２】
次に、請求項４に記載の広告情報提供システムは、請求項３に記載の広告情報提供システムにおいて、広告情報には、その広告情報の内容を表す種別情報が含まれており、携帯機には、外部操作により特定の広告情報の種別情報が記憶された種別情報記憶手段が設けられており、表示制御手段は、取得手段により取得された広告情報の種別情報が、種別情報記憶手段に記憶された種別情報と一致するか否かを判定し、一致すると判定した場合には、その広告情報を、表示手段の表示画面上における第１の領域に表示させ、一致しないと判定した場合には、その広告情報を、表示手段の表示画面上における第２の領域に表示させることを特徴としている。
【００１３】
このような請求項４に記載の広告情報提供システムによれば、使用者が好む広告情報の内容を表す種別情報を、種別情報記憶手段に記憶させておくことで、表示手段により表示される広告情報を、使用者の好みの内容であるものとそうでないものとに分けることができ、使用者にとって使い勝手の良いものとなる。
【００１４】
次に、請求項５に記載の携帯機は、請求項１〜４の何れかに記載の広告情報提供システムに用いられ、受信手段と、取得手段と、表示制御手段と、表示手段と、サーバ情報記憶手段とを備えたことを特徴としている。
【００１５】
このような請求項５に記載の携帯機によれば、上述した請求項１〜４の何れかに記載の広告情報提供システムに当該携帯機を用いることで、上述した効果と同様の効果を得ることができる。
【発明を実施するための最良の形態】
【００１６】
以下に、本発明が適用された実施形態の広告情報提供システムについて説明する。
まず、図１は第１実施形態の広告情報提供システムの概要を示すブロック図である。
第１実施形態の広告情報提供システムは、携帯電話機３０を所持する使用者に広告情報（Ｗｅｂページ）を提供するためのものであり、図１に示すように、広告情報が複数記憶された広告情報データベース（広告情報ＤＢ）１６を有し、その広告情報ＤＢ１６内の広告情報をインターネット網２を介して通信先に提供する広告サーバ１０と、地域に分散して配置された広告看板４に組み込まれ、広告情報のうちの一つを特定するための識別情報を無線にて送信するＩＤタグ２０と、ＩＤタグ２０からの識別情報を読み取るタグリーダ３２を有し、広告サーバ１０と通信可能に構成された携帯電話機３０とを備えている。
【００１７】
なお、携帯電話機３０と広告サーバ１０との間で行われる通信は、携帯電話機３０と無線通信を行う基地局６と、基地局６に対し電話回線網８を介してつながる移動電話交換局９と広告サーバ１０とを接続するインターネット網２と、を介して行われる。また、携帯電話機３０は電話回線網８を介して通話も行うことができるように構成されている。
【００１８】
携帯電話機３０は、タグリーダ３２と、基地局６との間で無線通信を行う通信部３４と、複数のボタン（例えば、０〜９までのボタン、開始・終了ボタン、メニューボタン、十字キー等）からなる操作部３６と、不揮発性のメモリ３８と、情報を表示するためのディスプレイ４０と、携帯電話機３０を構成する各部の制御を行う制御部４２とを備えている。
【００１９】
また、携帯電話機３０は、操作部３６が操作されていない状態が一定時間（例えば１０分）継続した場合に、通常の動作状態から、消費電力を抑えるためのスリープ状態に移行し、操作部３６にて何らかの操作がされた場合にスリープ状態を解除して動作状態に戻るように構成されている。
【００２０】
タグリーダ３２は、ＩＤタグ２０から、ＩＤタグ２０内に記憶された識別情報を読み取るためのものであり、本実施形態では、数ｍ離れたＩＤタグ２０から識別情報を非接触に読み取ることができるものが使用されている。また、タグリーダ３２は、制御部４２から送信指令が入力されると、ＩＤタグ２０を起動させるための起動信号を無線にて送信するようにされている。
【００２１】
なお、ＩＤタグ２０には、タグリーダ３２（携帯電話機３０）側で非接触で識別情報を読み取ることができるように、タグリーダ３２からの無線（起動信号）による送信電力により起動して識別情報を無線にて送信する機能を有するＲＦＩＤタグが用いられている。また、ＩＤタグ２０に記憶されている識別情報は、広告サーバ１０のアドレス情報（ＵＲＬ）の一部であって、ディレクトリ名やファイル名等の下位のアドレス情報が記述されたものである。
【００２２】
メモリ３８には、広告サーバ１０のアドレス情報の一部であって、広告サーバ１０を特定するためのドメイン名（上位のアドレス情報）が記述されたドメイン情報（例えば、「ｈｔｔｐ：／／ｗｗｗ．○○○．ｃｏｍ」）が記憶されている。
【００２３】
ディスプレイ４０は、例えばＬＣＤ（液晶カラーディスプレイ）にて構成されており、制御部４２からの指令を受けて情報を表示する。
制御部４２は、ＣＰＵ４２ａ、ＲＡＭ４２ｂ、ＲＯＭ４２ｃを備えた周知のマイクロコンピュータにて構成されており、操作部３６が操作されることにより入力される指令や、予め内部に記憶されたプログラム、或いは、通信部３４から入力される信号等に基づいて、各種処理を実行する。
制御部４２は、携帯電話機３０の電源が投入されるか又はスリープ状態が解除されると、タグリーダ３２に起動信号を送信させるための送信指令を、タグリーダ３２に出力する。
【００２４】
また、制御部４２は、タグリーダ３２により読み取られた識別情報を取得すると、その取得した識別情報と、メモリ３８に記憶されているドメイン情報とから、広告サーバ１０のアドレス情報を生成する。
【００２５】
ここで、本実施形態において、制御部４２は、ドメイン情報の下位に識別情報を付加することで、広告サーバ１０のアドレス情報を生成するようにされており、例えば、識別情報が「ａａａ」だった場合には、「ｈｔｔｐ：／／ｗｗｗ．○○○．ｃｏｍ／ａａａ」というアドレス情報を生成する。
【００２６】
また、制御部４２は、広告サーバ１０のアドレス情報を生成すると、そのアドレス情報を通信部３４に出力する。
また、制御部４２は、通信部３４により取得された広告情報が入力されると、その広告情報をディスプレイ４０に表示させる。
【００２７】
通信部３４は、制御部４２からアドレス情報が入力されると、そのアドレス情報に対応する広告情報を、基地局６、移動電話交換局９、インターネット網２を介して広告サーバ１０から取得し、その取得した広告情報を制御部４２へ出力する。
【００２８】
また、携帯電話機３０は、操作部３６から入力される指令に基づいて、携帯電話機３０として機能する通話処理を行うが、このことは周知であるため詳細な説明は省略する。
次に、広告サーバ１０は、制御部１２と、インターネット網２を介して通信先（本実施形態では携帯電話機３０）と通信を行う通信部１４と、広告情報ＤＢ１６とを備えている。
【００２９】
図２に示すように、広告情報ＤＢ１６には、複数の広告情報が各アドレス情報に関連付けて登録されている。
広告サーバ１０の制御部１２は、通信部１４にて受信されたアドレス情報が入力されると、そのアドレス情報に対応する広告情報を広告情報ＤＢ１６から読み込んで、その読み込んだ広告情報を通信部１４に出力する。例えば、通信部１４にて受信されたアドレス情報が「ｈｔｔｐ：／／ｗｗｗ．○○○．ｃｏｍ／ａａａ」であった場合、制御部１２は、図２に示す「Ａ」という広告情報を広告情報ＤＢ１６から読み込んで、その広告情報「Ａ」を通信部１４に出力する。
【００３０】
通信部１４は、基地局６、移動電話交換局９、インターネット網２を介して携帯電話機３０からアドレス情報を受信すると、そのアドレス情報を制御部１２に出力し、その後、制御部１２から広告情報が入力されると、その広告情報を、今回受信したアドレス情報の送信先である携帯電話機３０に送信する。
【００３１】
次に、ＩＤタグ２０が実行する処理について図３を用いて説明する。なお、図３は、ＩＤタグ２０で実行される処理を表すフローチャートである。
図３の処理は、携帯電話機３０からの送信指令を受けることでＩＤタグ２０が起動した際に実行される処理であり、この処理が開始されると、まずＳ１１０にて、図示しないメモリから識別情報を読み込む。
【００３２】
そして、Ｓ１２０では、Ｓ１１０で読み込まれた識別情報を無線にて送信し、当該処理を終了する。
次に、携帯電話機３０の制御部４２（詳しくはＣＰＵ４２ａ）が実行する広告情報取得処理について、図４を用いて説明する。なお、図４は、携帯電話機３０の制御部４２が実行する広告情報取得処理を表すフローチャートである。
【００３３】
広告情報取得処理は、携帯電話機３０の電源が投入されるか又はスリープ状態が解除されたときに制御部４２で実行される処理であり、制御部４２が図４に示す広告情報取得処理を開始すると、まずＳ２１０にて、タグリーダ３２に送信指令を出力する。
【００３４】
すると、タグリーダ３２は、起動信号を送信し、その送信領域にＩＤタグ２０が存在した場合には、そのＩＤタグ２０から識別情報を取得することとなる。
次に、Ｓ２２０では、タグリーダ３２がＩＤタグ２０から識別情報を取得したか否かを判定する。
【００３５】
そして、Ｓ２２０にて、識別情報を取得していないと判定された場合には、Ｓ２１０に戻り、識別情報を取得したと判定された場合には、Ｓ２３０に移行する。なお、Ｓ２２０では、否定判定したときに（Ｓ２２０：ＮＯ）、広告情報取得処理が開始されてから一定時間経過しても、タグリーダ３２がＩＤタグ２０から識別情報を一つも取得できなかった場合には、Ｓ２１０に戻らずに、当該広告情報取得処理を終了するようにされている。
【００３６】
Ｓ２３０では、取得した識別情報をＲＡＭ４２ｂに記憶し、続くＳ２４０にて、ＩＤタグ２０から取得した識別情報が所定数（例えば２０個）に達したか否かを判定する。
そして、Ｓ２４０にて、ＩＤタグ２０から取得した識別情報が所定数に達したと判定された場合には、Ｓ２５０に移行し、ＩＤタグ２０から取得した識別情報が所定数に達していないと判定された場合には、Ｓ２６０に移行する。
【００３７】
次に、Ｓ２６０では、当該広告情報取得処理を開始してから所定時間が経過したか否かを判定する。
そして、Ｓ２６０にて、所定時間経過していないと判定された場合には、Ｓ２１０に戻り、所定時間経過したと判定された場合には、Ｓ２５０に移行する。
【００３８】
次に、Ｓ２５０では、ＲＡＭ４２ｂに記憶された識別情報と、メモリ３８に記憶されているドメイン情報とから、アドレス情報を生成する。具体的に説明すると、Ｓ２５０では、メモリ３８からドメイン情報を読み込むと共に、ＲＡＭ４２ｂに記憶されている識別情報の一つを読み込んで、そのドメイン情報の下位に識別情報を付加することでアドレス情報を生成する、といった処理を行う。
【００３９】
続いて、Ｓ２７０では、Ｓ２５０で生成されたアドレス情報を通信部３４に出力する。
すると、通信部３４は、アドレス情報に対応する広告情報を広告サーバ１０から取得して、その取得した広告情報を制御部４２に出力することとなる。
【００４０】
そして、Ｓ２８０では、通信部３４から入力された広告情報をメモリ３８に記憶し、続くＳ２９０にて、今回の広告情報取得処理にて、ＩＤタグ２０から取得した識別情報（即ち、ＲＡＭ４２ｂに記憶された識別情報）に対応する広告情報を全て取得したか否かを判定する。
【００４１】
そして、Ｓ２９０にて、広告情報を全て取得していないと判定された場合には、Ｓ２５０に戻り、広告情報を全て取得したと判定された場合には、Ｓ３００に移行する。
なお、Ｓ２９０で否定判定されると（Ｓ２９０：ＮＯ）、Ｓ２５０では、ＲＡＭ４２ｂに記憶されている識別情報のうち、まだ読み込んでいない識別情報を読み込んで、その読み込んだ識別情報をドメイン情報の下位に付加することでアドレス情報を生成する。
【００４２】
続いて、Ｓ３００では、Ｓ２８０でメモリ３８に記憶された広告情報をディスプレイ４０に表示させるための広告情報表示処理を行い、当該広告情報取得処理を終了する。
次に、広告情報取得処理にて実行される広告情報表示処理について、図５を用いて説明する。なお、図５は、携帯電話機３０の制御部４２が実行する広告情報表示処理を表すフローチャートである。
【００４３】
制御部４２が広告情報表示処理を開始すると、まずＳ４１０にて、メモリ３８に記憶された広告情報のうちの一つを読み込む。
そして、Ｓ４２０では、Ｓ４１０で読み込まれた広告情報をディスプレイ４０に表示させる。
【００４４】
具体的には、図６に示すように、ディスプレイ４０の全表示領域のうち、下方の領域４０ａ（以下、広告情報表示領域４０ａという）に、Ｓ４１０で読み込まれた広告情報を表示させる。また、制御部４２は、広告情報をディスプレイ４０に表示させる際、図６に示す如く５つの広告情報を左右一列に並べた状態で広告情報表示領域４０ａに表示させるようにされており、このとき、メモリ３８から読み込んだ広告情報を、広告情報表示領域４０ａの左側から順番に表示させていく。
【００４５】
次に、Ｓ４３０では、広告情報表示領域４０ａに広告情報を５つ表示させているか否かを判定する。
そして、Ｓ４３０にて、広告情報表示領域４０ａに広告情報を５つ表示させていないと判定された場合には、Ｓ４１０に戻り、広告情報表示領域４０ａに広告情報を５つ表示させていると判定された場合には、Ｓ４４０に移行する。
【００４６】
なお、メモリ３８に記憶されている広告情報が４つ以下の場合、Ｓ４３０では、広告情報表示領域４０ａにメモリ３８に記憶されている広告情報を全て表示させたか否かを判定し、広告情報を全て表示していないと判定した場合にはＳ４１０に戻り、広告情報を全て表示させたと判定した場合にはＳ４４０に移行する。
【００４７】
次に、Ｓ４４０では、Ｓ４３０の処理で肯定判定されてから（Ｓ４３０：ＹＥＳ）所定時間経過したと判定するまで待ち、所定時間経過したと判定すると、Ｓ４５０に移行する。
【００４８】
続いて、Ｓ４５０では、メモリ３８に記憶された広告情報を全てディスプレイ４０に表示させたか否かを判定する。
そして、Ｓ４５０にて、広告情報を全てディスプレイ４０に表示させたと判定された場合には、当該広告情報表示処理を終了し、Ｓ４５０にて、広告情報を全てディスプレイ４０に表示させていないと判定された場合には、Ｓ４６０に移行する。
【００４９】
そして、Ｓ４６０では、まだディスプレイ４０に表示させていない広告情報をメモリ３８から読み込む。
続いて、Ｓ４７０では、広告情報表示領域４０ａを更新する。具体的に説明すると、Ｓ４７０では、現在広告情報表示領域４０ａに表示されている広告情報に代えて、Ｓ４６０で読み込まれた広告情報を、広告情報表示領域４０ａに表示させる。
【００５０】
次に、広告サーバ１０の制御部１２で実行される処理について、図７を用いて説明する。なお、図７は、広告サーバ１０の制御部１２で実行される処理を表すフローチャートである。
【００５１】
図７の処理は、広告サーバ１０の制御部１２に動作電源が供給されている間、繰り返し実行される処理であり、広告サーバ１０の制御部１２がこの処理を開始すると、まずＳ５１０にて、通信部１４からアドレス情報が入力される（即ち、通信部１４が携帯電話機３０からアドレス情報を受信する）のを待つ。
【００５２】
そして、Ｓ５２０にて、通信部１４からアドレス情報が入力されたと判定されると、続くＳ５２０にて、通信部１４から入力されたアドレス情報に対応する広告情報を、広告情報ＤＢ１６から読み込む。
【００５３】
そして、Ｓ５３０では、Ｓ５２０で広告情報ＤＢ１６から読み込まれた広告情報を、通信部１４に出力し、当該処理を終了する。
すると、通信部１４は、制御部１２から入力された広告情報を、今回受信したアドレス情報の送信先である携帯電話機３０に送信することとなり、その広告情報を受信した携帯電話機３０は、ディスプレイ４０に広告情報を表示することとなる。
【００５４】
以上説明したように、第１実施形態の広告情報提供システムでは、例えば使用者が操作部３６を操作することで、携帯電話機３０がスリープ状態から動作状態に切り替わると、携帯電話機３０がＩＤタグ２０から識別情報を取得する。そして、携帯電話機３０は、取得した識別情報とメモリ３８内のドメイン情報とからアドレス情報（ＵＲＬ）を生成して、そのアドレス情報に対応する広告情報を広告サーバ１０から取得し、その取得した広告情報をディスプレイ４０に表示する。
【００５５】
このため、第１実施形態の広告情報提供システムによれば、携帯電話機３０は、メモリ３８に記憶されたドメイン情報により特定される広告サーバにしかアクセスできないように制限されているので、携帯電話機３０が不正サイトや違法サイト等にアクセスしてしまうのを防止することができる。
【００５６】
よって、広告情報提供システムのセキュリティ性を向上させることができる。
また、第１実施形態の携帯電話機３０には、広告情報のアドレス情報（ＵＲＬ）のドメイン名を表すドメイン情報が記憶されているため、ＩＤタグ２０のメモリには、広告情報のアドレス情報の下位の部分（例えばファイル名やディレクトリ名）が記憶されていれば良い。
【００５７】
よって、本実施形態の広告情報提供システムによれば、ＩＤタグ２０のメモリの容量を小さくすることができ、ＩＤタグ２０を小型化することができる。
また、本実施形態の携帯電話機３０では、広告情報をディスプレイ４０に表示する際、その広告情報をディスプレイ４０の表示領域全体に表示するのではなく、その全表示領域における下方の広告情報表示領域４０ａにだけ表示するようにされている。
【００５８】
このため、使用者がディスプレイ４０を見ながら携帯電話機３０を操作する際に、ディスプレイ４０の操作画面（即ち、全表示領域のうち、広告情報表示領域４０ａ以外の領域）が見づらくなってしまうということを抑制することができる。
【００５９】
また、本実施形態の広告情報提供システムによれば、携帯電話機３０は、取得した複数の広告情報を、ディスプレイ４０の広告情報表示領域４０ａに同時に表示するので、携帯電話機３０の使用者は、多く（本実施形態では５つ）の広告情報を一度に見ることができる。
【００６０】
ところで、携帯電話機３０の使用者は、通常、携帯電話会社と契約することで携帯電話機３０を使用している。
このため、本実施形態において、広告情報を提供する広告主が、携帯電話会社に対し広告料を支払うようにすることで、携帯電話機３０の使用料を安くすることが可能となる。また、携帯電話機３０が広告情報を取得する回数に応じて、携帯電話機３０の使用料が安くなるように設定されていても良い。
【００６１】
なお、第１実施形態では、携帯電話機３０が携帯機に相当し、ＩＤタグ２０が識別情報送信装置に相当し、タグリーダ３２が受信手段に相当している。また、Ｓ２７０の処理が取得手段に相当し、広告情報表示処理が表示制御手段に相当している。また、ドメイン情報がサーバ情報に相当し、メモリ３８がサーバ情報記憶手段に相当し、ディスプレイ４０が表示手段に相当している。
【００６２】
次に、第２実施形態の広告情報提供システムについて、図８及び図９を用いて説明する。なお、図８は、第２実施形態の制御部４２が実行する広告情報表示処理を表すフローチャートであり、図９は、第２実施形態の携帯電話機３０のディスプレイ４０に表示される広告情報を説明する説明図である。
【００６３】
第２実施形態の広告情報システムは、第１実施形態の広告情報提供システムと比較すると、携帯電話機３０が広告情報をディスプレイ４０に表示する際、使用者により選択された内容の広告情報と、そうでない広告情報とを区別して表示するようにされている点が異なっている。
【００６４】
具体的に説明すると、第２実施形態の広告情報提供システムにおいて、広告情報には、その内容を表す種別情報が含まれており、携帯電話機３０のメモリ３８には、特定の種別情報が、使用者の操作によって予め記憶されており、更に、携帯電話機３０は、図５の広告情報表示処理に代えて、図８の広告情報表示処理を実行するようにされている。
【００６５】
次に、第２実施形態の広告情報表示処理について、図８を用いて説明する。
制御部４２が図８の広告情報表示処理を開始すると、まずＳ６１０にて、メモリ３８に記憶された広告情報のうちの一つを読み込む。
【００６６】
そして、Ｓ６２０では、Ｓ６１０で読み込まれた広告情報の種別情報が、メモリ３８に記憶されている種別情報と一致するか否かを判定する。
そして、Ｓ６２０にて、種別情報が一致したと判定された場合には、Ｓ６１０で読み込まれた広告情報が、使用者が所望する内容の広告情報であると判断してＳ６３０に移行する。
【００６７】
一方、Ｓ６２０にて、種別情報が一致しないと判定された場合には、Ｓ６１０で読み込まれた広告情報が、使用者が所望する内容の広告情報でないと判断してＳ６８０に移行する。
【００６８】
次に、Ｓ６３０では、種別情報が一致した広告情報が所定数（例えば５個）を超えたか否かを判定する。
そして、Ｓ６３０にて、種別情報が一致した広告情報が所定数を超えていないと判定された場合には、Ｓ６４０に移行し、今回Ｓ６１０で読み込まれた広告情報を、例えばＲＡＭ４２ｂに記憶してＳ６６０に移行する。
【００６９】
一方、Ｓ６３０にて、種別情報が一致した広告情報が所定数を超えたと判定された場合には、Ｓ６５０に移行し、現在ＲＡＭ４２ｂに記憶されている広告情報のうち、最も古い広告情報を消去してＳ６５０に移行する。
【００７０】
次に、Ｓ６６０では、現在ＲＡＭ４２ｂに記憶されている広告情報を全て読み込み、その読み込んだ広告情報に基づき、広告情報をスクロール操作可能な画像を生成し、その生成した画像を、図９に示すように、広告情報表示領域４０ａにおける左端の領域４０ｂ（以下、登録用広告情報表示領域４０ｂという）に表示させる。
【００７１】
そして、Ｓ６７０では、メモリ３８に記憶されている広告情報を全てディスプレイ４０に表示させたか否かを判定する。
そして、Ｓ６７０にて、広告情報を全てディスプレイ４０に表示させていないと判定された場合には、Ｓ６１０に戻り、広告情報を全てディスプレイ４０に表示させていないと判定された場合には、当該広告情報処理を終了する。
【００７２】
次に、Ｓ６８０では、今回Ｓ６１０で読み込まれた広告情報を、図９に示すように、広告情報表示領域４０ａのうち、登録用広告情報表示領域４０ｂ以外の領域４０ｃ（以下、通常用広告情報表示領域４０ｃという）に表示させる。なお、Ｓ６８０において、通常用広告情報表示領域４０ｃには、上述した第１実施形態の広告情報表示領域４０ａと同様、通常用広告情報表示領域４０ｃの左側から順番に４つの広告情報が表示される。
【００７３】
次に、Ｓ６９０では、通常用広告情報表示領域４０ｃに４つの広告情報を表示させているか否かを判定する。
そして、Ｓ６９０にて、通常用広告情報表示領域４０ｃに４つの広告情報を表示させていないと判定された場合には、Ｓ６１０に戻り、通常用広告情報表示領域４０ｃに４つの広告情報を表示させていると判定された場合には、Ｓ７００に移行する。
【００７４】
なお、Ｓ６１０にて全ての広告情報がメモリ３８から読み込まれた場合、Ｓ６９０では、通常用広告情報表示領域４０ｃに４つの広告情報を表示させていなくても、Ｓ７００に移行する。
【００７５】
次に、Ｓ７００では、Ｓ６９３０の処理で肯定判定されてから（Ｓ６９０：ＹＥＳ）所定時間経過したと判定するまで待ち、所定時間経過したと判定すると、Ｓ６７０に移行する。
【００７６】
以上説明したように、第２実施形態の広告情報提供システムによれば、携帯電話機３０は、使用者が所望する内容（使用者により選択された内容）の広告情報を、ディスプレイ４０の登録用広告情報表示領域４０ｂに表示し、それ以外の広告情報を、ディスプレイ４０の通常用広告情報表示領域４０ｃに表示するようにしているので、携帯電話機３０の使用者にとって使い勝手の良いものとなる。
【００７７】
なお、本第２実施形態では、メモリ３８が種別情報記憶手段に相当し、図８の広告情報表示処理が、表示制御手段に相当している。また、登録用広告情報表示領域４０ｂが第１の領域に相当し、通常用広告情報表示領域４０ｃが第２の領域に相当している。
【００７８】
次に、第３実施形態の広告情報提供システムについて、図１０及び図１１を用いて説明する。なお、図１０は、第３実施形態の携帯電話機３０の制御部４２で実行される設定処理を表すフローチャートであり、図１１は、第３実施形態の携帯電話機３０の制御部４２で実行される広告情報取得処理を表すフローチャートである。また、図１１において、図４と同じ処理については、同一のステップ番号を付しているため、説明は省略する。
【００７９】
第３実施形態の広告情報提供システムは、第１実施形態の広告情報提供システムと比較すると、識別情報を取得してから広告情報をディスプレイ４０に表示するまでを自動で行う自動取得モードと、識別情報取得後、使用者の操作に従い広告情報を取得してディスプレイ４０に表示する手動取得モードと、の何れかに切り換え可能とされている点が異なっている。
【００８０】
具体的に説明すると、第３実施形態の広告情報提供システムでは、携帯電話機３０が、自動取得モードと手動取得モードとの何れかを選択するための設定処理を実行すると共に、図４の広告情報取得処理に代えて、図１１の広告情報取得処理を実行するようにされている。
【００８１】
まず、第３実施形態の携帯電話機３０の制御部４２が実行する設定処理について、図１０を用いて説明する。
設定処理は、操作部３６（例えばメニューボタン）が操作されたときに実行される処理であり、制御部４２が設定処理を開始すると、まずＳ７１０にて、使用者に当該携帯電話機３０の設定項目を選択させるための選択画面をディスプレイ４０に表示させる。
【００８２】
次に、Ｓ７２０では、ディスプレイ４０に表示されている設定項目うち、自動取得モードが選択されたか否かを判定する。
そして、Ｓ７２０にて、自動取得モードが選択されたと判定された場合には、Ｓ７３０に移行し、自動取得フラグをセットして、当該設定処理を終了する。
【００８３】
一方、Ｓ７２０にて、自動取得モードが選択されていないと判定された場合には、Ｓ７４０に移行して、手動取得モードが選択されたか否かを判定する。
そして、Ｓ７４０にて、手動取得モードが選択されたと判定された場合には、Ｓ７４０に移行し、自動取得フラグをリセットして当該設定処理を終了する。
【００８４】
また、Ｓ７４０にて、手動取得モードが選択されていないと判定された場合には、Ｓ７６０に移行して、選択された設定項目に対応する処理を行い（例えば、着信音を設定するための着信音設定項目が選択された場合には、着信音を設定する処理を行い）、当該設定処理を終了する。
【００８５】
次に、図１１の広告情報取得処理について説明する。
制御部４２が図１１の広告情報取得処理を開始して、Ｓ２４０で肯定判定するか（Ｓ２４０：ＹＥＳ）、Ｓ２６０で所定時間経過したと判定すると（Ｓ２６０：ＹＥＳ）、Ｓ２４５に移行し、自動取得フラグがセットされているか否かを判定する。
【００８６】
そして、Ｓ２４５にて、自動取得フラグがセットされていると判定された場合には、Ｓ２５０に移行し、自動取得フラグがセットされていないと判定された場合には、Ｓ３１０に移行する。
【００８７】
そして、Ｓ３１０では、Ｓ２３０で記憶されている全ての識別情報に対応するアドレス情報を生成する。
続いて、Ｓ３２０では、Ｓ３１０で生成されたアドレス情報をディスプレイ４０に表示させる。
【００８８】
そして、Ｓ３３０では、ディスプレイ４０に表示されているアドレス情報のうちの少なくとも一つが選択されたか否かを判定する。
そして、Ｓ３３０にて、選択されたアドレス情報があると判定された場合には、Ｓ３４０に移行し、選択されたアドレス情報がないと判定された場合には、アドレス情報の表示を停止して当該広告情報取得処理を終了する。
【００８９】
次に、Ｓ３４０では、選択されたアドレス情報に対応する広告情報を通信部３４に出力する。
すると、通信部３４は、広告サーバ１０と通信を行うことで、制御部４２から入力されたアドレス情報に対応する広告情報を取得して、その広告情報を制御部４２に出力することとなる。
【００９０】
次に、Ｓ３５０では、通信部３４から入力された広告情報をメモリ３８に記憶して、Ｓ３００に移行する。
以上のような第３実施形態の広告情報提供システムによれば、携帯電話機３０における広告情報の取得モードを、使用者の好みに合わせて、自動取得モードと手動取得モードとの何れかに設定することができるので、携帯電話機３０の使い勝手が良くなる。
【００９１】
なお、本第３実施形態では、Ｓ２４５，Ｓ２７０，Ｓ３４０の処理が取得手段に相当している。
以上、本発明の実施形態について説明したが、本発明は、種々の形態を採り得ることは言うまでもない。
【００９２】
上記実施形態において、ＩＤタグ２０は、携帯電話機３０から動作用の電力が供給されるものとして説明したが、これに限らず、ＩＤタグ２０に動作用の電池を組み込み、その電池から電力を受けて動作するようにされていても良い。なお、ＩＤタグ２０に組み込む電池としては、ＩＤタグ２０に動作用の電力を供給できれば何でも良く、光起電力を利用して、光エネルギーを電池エネルギーに変えることが可能な光電池（例えば、太陽電池）でも良い。
【００９３】
また、ＩＤタグ２０に電池が組み込まれている場合、ＩＤタグ２０は、定期的に識別情報を送信するようにされていても良いし、携帯電話機３０（タグリーダ３２）からの起動信号を受信したときに識別情報を送信するようにされていても良い。
【００９４】
そして、ＩＤタグ２０が定期的に識別情報を送信するようにされていた場合、携帯電話機３０は、タグリーダ３２がＩＤタグ２０から識別情報を取得したときに広告情報取得処理を開始するようにすると良い。
【００９５】
具体的に説明すると、携帯電話機３０の制御部４２は、タグリーダ３２がＩＤタグ２０からの識別情報を取得することで広告情報取得処理を開始すると、Ｓ２１０の処理を実行せずにＳ２２０を実行し、Ｓ２６０では、一つ目の識別情報を取得してから所定時間経過したか否かを判定するようにし、否定判定した場合にはＳ２２０の処理をするようにすると良い。
【００９６】
以上のように構成すれば、携帯電話機３０から起動信号を送信しなくても識別情報を取得することができるので、携帯電話機３０の消費電力を低減することができる。
また、このように構成した場合、携帯電話機３０は、識別情報を取得したときに広告情報取得処理を実行する取得モードと、識別情報を取得したとしても広告情報取得処理を実行せずにそのまま通常の携帯電話機として動作する通常モードとを、切り換えることができるように構成すると良い。
【００９７】
このようにすれば、例えば、使用者が、ディスプレイ４０に広告情報が表示されるのが煩わしいと感じたときには、上記取得モードから上記通常モードに切り換えることができるので、携帯電話機３０の使い勝手が良くなる。
【００９８】
また、上記実施形態では、ＩＤタグ２０は広告看板４に組み込まれているものとして説明したが、これに限らず、ＩＤタグ２０は、不特定多数の人が通行可能な場所であれば、どこに配置されていても良く、例えば、ＩＤタグ２２を塗料に混ぜて広告紙やテーブル等に組み込むようにしても良い。
【００９９】
また、広告サーバ１０が、広告情報を提供する提供先としては、携帯電話機３０に限らず、使用者が携帯可能で且つ表示装置を備えたもの（例えば、ＰＤＡや簡易型携帯電話機）であれば何でも良い。
【０１００】
また、上記実施形態の携帯電話機３０には、ドメイン情報が一つしか記憶されていなかったが、これに限らず、ドメイン情報は複数記憶されていても良い（換言すると、広告サーバ１０を複数設置し、携帯電話機３０は、複数の広告サーバ１０から広告情報を取得することができるように構成されていても良い）。
【０１０１】
この場合、例えば、携帯電話機３０に、基地局６と通信することで現在位置を特定する機能や現在位置を特定可能なＧＰＳ機能を設けて、携帯電話機３０は、現在位置に従い複数のドメイン情報の中から一つを選択するように構成すれば良い。
【０１０２】
このようにすれば、携帯電話機３０が存在する地域によって異なる広告情報を提供することができる。
また、例えば、携帯電話機３０に放送を受信可能なチューナを組み込むと共に、広告サーバ１０を、広告情報に関する番組を配信するように構成すれば、携帯電話機３０は、広告サーバ１０から配信される番組を受信することができる。
【図面の簡単な説明】
【０１０３】
【図１】第１実施形態の広告情報提供システムの概要を示すブロック図である。
【図２】広告情報ＤＢに登録された広告情報を説明する説明図である。
【図３】ＩＤタグで実行される処理を表すフローチャートである。
【図４】携帯電話機の制御部が実行する広告情報取得処理を表すフローチャートである。
【図５】携帯電話機の制御部が実行する広告情報表示処理を表すフローチャートである。
【図６】第１実施形態の広告情報表示処理にて携帯電話機のディスプレイに表示される広告情報を説明する説明図である。
【図７】広告サーバの制御部で実行される処理を表すフローチャートである。
【図８】第２実施形態の携帯電話機の制御部が実行する広告情報表示処理を表すフローチャートである。
【図９】第２実施形態の広告情報表示処理にて携帯電話機のディスプレイに表示される広告情報を説明する説明図である。
【図１０】第３実施形態の携帯電話機の制御部が実行する設定処理を表すフローチャートである。
【図１１】第３実施形態の携帯電話機の制御部が実行する広告情報取得処理を表すフローチャートである。
【符号の説明】
【０１０４】
２…インターネット網、４…広告看板、６…基地局、８…電話回線網、９…移動電話交換局、１０…広告サーバ、１２…制御部、１４…通信部、１６…広告情報ＤＢ、２０…ＩＤタグ、３０…携帯電話機、３２…タグリーダ、３４…通信部、３６…操作部、３８…メモリ、４０…ディスプレイ、４０ａ…広告情報表示領域、４０ｂ…登録用広告情報表示領域、４０ｃ…通常用広告情報表示領域、４２…制御部。
【図１】
2007102423.tif 000003
【図２】
2007102423.tif 000004
【図３】
2007102423.tif 000005
【図４】
2007102423.tif 000006
【図５】
2007102423.tif 000007
【図６】
2007102423.tif 000008
【図７】
2007102423.tif 000009
【図８】
2007102423.tif 000010
【図９】
2007102423.tif 000011
【図１０】
2007102423.tif 000012
【図１１】
2007102423.tif 000013